(57)【要約】【課題】寛ぎ感が得られ、冬季や夏季でも快適に利用でき、床面および側壁の清掃を簡単に実施可能にする。【解決手段】トイレ本体が床１、側壁２〜５および屋根６からなる鉄筋コンクリート造りの屋外設置トイレであって、便器１３が設置された用便空間１４と手洗い器１１が設置された空間１２とを仕切る隔壁９と、隔壁９に設けられた開閉ドア１５とを備え、床１上面および側壁２〜５内面にはタイル７が敷設され、トイレ本体が基礎コンクリート１８に据え付け可能なサイズおよび重量を持つ。【選択図】図３
0003103077.tif 000002
【実用新案登録請求の範囲】
【請求項１】
トイレ本体が床、側壁および屋根からなる鉄筋コンクリート造りの屋外設置トイレであって、
側壁に連接され、便器が設置された用便空間と手洗い器が設置された空間とを仕切る隔壁と、隔壁に設けられた開閉ドアとを備え、床上面および側壁内面にはタイルが敷設され、トイレ本体が基礎コンクリートに据え付け可能なサイズおよび重量を持つことを特徴とする屋外設置トイレ。
【請求項２】
隔壁が、大便器が設置された用便空間と、小便器とともに手洗い器が設置された空間とを仕切ることを特徴とする請求項１に記載の屋外設置トイレ。
【考案の詳細な説明】
【技術分野】
【０００１】
本考案は、例えば家庭や店舗などの屋外に設置され、または公園や催事場(イベント会場)などに設置される屋外設置トイレにかかり、特に鉄筋コンクリートによって作られた屋内設置トイレに関する。
【背景技術】
【０００２】
従来から、各種イベントの催事場や、道路工事、建築工事などの作業現場には、一時的使用(臨時的使用)を目的として、搬送、設置および撤去が容易に行える簡易型の屋外設置型トイレが設置される。
この屋外設置トイレは、催事場への予定入場者数や作業者人数に合わせた個数分用意され、現場で組み立てて設置しまたは工場組み立てしたものを設置している。したがって、その組み立てや設置、搬送が簡単で迅速に行えるものであることが望ましい。
【０００３】
このため、従来の屋外設置トイレは、鉄板や合成樹脂板を用い、床、側壁、屋根(天井)を一体に組み付けまたは一体成形したものを組み付けた、軽量で簡易構成のものが汎用されている。
このような簡易構成の野外設置トイレとしては、例えば、特許文献１に示すものがある。この野外設置トイレは、地中に埋設したピット上に床パネルを置き、この床パネル上に側壁パネルや仕切りパネルを載せて建て込み、さらに側壁パネル上に屋根を載せて構成される。
【特許文献１】特開平０９−０１３７１３号公報
【考案の開示】
【考案が解決しようとする課題】
【０００４】
しかしながら、従来の簡易型屋外設置トイレは、用便空間が、例えば９０平方センチメートル以下と狭く、特に大小便兼用の便器では、これが段差部を設けた床上に設置されているため、寛ぎ感が得られず、また床面の清掃が不便である。
さらに、手洗い器が付属していないものでは、不衛生である。
また、床、側壁、屋根がともに薄板で作られているため、断熱機能を持たず、従って、冬季では外気に晒されて用便空間内が寒く、夏季では太陽熱を受けて用便空間内が蒸し暑くなり、寛ぎ感や開放感が得られないという不便があった。
本考案は、寛ぎ感が得られ、冬季や夏季でも快適に利用でき、床上面および側壁内面の清掃を簡単に実施できる衛生的な屋外設置トイレと得ようとするものである。
【課題を解決するための手段】
【０００５】
請求項１の考案に係る屋外設置トイレは、トイレ本体が床、側壁および屋根からなる鉄筋コンクリート造りの屋外設置トイレであって、側壁に連接されて、便器が設置された用便空間と手洗い器が設置された空間とを仕切る隔壁と、隔壁に設けられた開閉ドアとを備え、床上面および側壁内面にはタイルが敷設され、トイレ本体が基礎コンクリートに据え付け可能なサイズおよび重量を持つことを特徴とする。
【０００６】
これにより、トイレ本体が鉄筋コンクリート造りであるため、外部と隔成された空間が形成され、使用者に寛ぎ感や開放感を与えるとともに、冬季には暖かく、夏季には涼しい環境を提供できる。
また、側壁および床をタイル張りとしたことで、水噴射洗浄が行えるようになり、清掃作業の容易化、迅速化を図ることができる。
さらに、用便と手洗いを、別々の人が別々の空間で、開放的にかつ安心して行うことができる。
開閉ドアを閉じた後は、用便空間を個室として利用でき、寛ぐことができる。また、トイレ本体を、クレーン等を用いて簡単かつ速やかに、基礎コンクリート上に据え付け、または撤去することができる。
【０００７】
また、請求項２の考案に係る屋外設置トイレは、側壁に、大便器が設置された用便空間と、小便器とともに手洗い器が設置された空間とを仕切る隔壁を連設したことを特徴とする。
【０００８】
これにより、１つのトイレ本体内の異なるタイプの用便空間を、別々の人が同時に利用することができる。
【考案の効果】
【０００９】
本考案の屋外設置トイレは、床、側壁、天井(屋根)を鉄筋コンクリート造りとし、また床上面や側壁内面にはタイルを敷設したため、床面の清掃が簡単になり、また使用者に寛ぎ感を与え、一年を通して快適な使用感を得ることができるという利点がある。
【考案を実施するための最良の形態】
【００１０】
以下、本考案の実施の形態を、図面を参照して説明する。
図１および図２は、本考案の屋外設置トイレの一形態を示す正面図および側面図である。図３は、同じく屋根を取り除いて示した平面図である。この屋外設置トイレは、鉄筋コンクリートにより、床１と、側壁２、３、４、５と、屋根６とを持つように形成されている。
【００１１】
これらのうち、床１は、厚みが７０ミリのコンクリート床であり、その床上面にはタイル７が敷き込まれている。このため、十分な断熱機能、遮音機能を呈する。タイル７としては、クリンカータイル、モザイクタイル、ゴムタイルなどのほか、擬石やひき石なども代替的に用いることができる。
【００１２】
このタイルは、コンクリート床を平らにした上で、貼り付け用の固練りモルタルを敷き、平坦に定規ずりをし、さらにセメントペーストを塗りつけた上に、貼り付けられる。また、目地詰めして、モルタルが硬化した後で、施工面の水洗いを行い、タイルの敷設作業を終了する。
【００１３】
一方、側壁２、５は一部を開放して、トイレ入り口８としてある。
また、トイレ内には、隔壁９が設けられ、この隔壁９によって、小便用便器１０および手洗い器１１を備えた空間(用便空間)１２と大便用便器１３を備えた用便空間１４とが隔成されている。
隔壁９には、用便空間１４を閉じることができる開閉ドア１５が設けられている。また、側壁３、４には採光および換気のためのガラス窓１６、１７が設けられている。
【００１４】
側壁２〜５の内面は、前記床上面と同様に、全体または一部にタイルが貼り付けられている(図示しない)。例えば、モザイクタイルユニットが接着剤を塗布したコンクリート側壁内面に、上部から下部に貼り付けられている。なお、側壁２〜５の外面には、例えば吹付けタイルが施されている。
【００１５】
このような構成の野外設置トイレは、工場であるいは施工現場で、加工、成形、組み立てなどが行われる。例えば、工場生産されて出荷される前記野外設置トイレでは、これを施工現場に運搬車に載せて運び、クレーンを用いるなどして、地上に降ろすことで、基礎コンクリート上への据え付けを簡単、迅速に行うことができる。
【００１６】
この据え付けのためには、予め施工現場に打設した基礎コンクリート１８上にコンクリート台１９を設置し、このコンクリート台１９上に前記構成の屋外設置トイレを載置する。
また、この屋外設置トイレを、取付台１９に設けられたアンカーボルトなどを利用して、堅固に固定する。
【００１７】
このように、本考案では、床１上面および側壁２〜５内面に、タイル７を敷設および貼着したことで、鉄筋コンクリートが外部と隔成された空間を形成し、使用者に寛ぎ感や開放感を与えるとともに、冬季には暖かく、夏季には涼しい環境を提供できる。
そして、側壁２〜５および床１をタイル張りとしたことで、水噴射洗浄が行えるようになり、清掃作業を容易化、迅速化することができる。
【００１８】
側壁２、４に、便器１３が設置された用便空間１４と手洗い器１１が設置された空間１２とを仕切る隔壁９を連設することで、用便と手洗いを、別々の人が別々の空間で、安心して行える。
また、側壁２、４に、大便器１３が設置された用便空間１４と小便器１０が設置された空間１２とを仕切る隔壁９を連設することで、１つのトイレ本体内の異なるタイプの用便空間１２、１４を、別々の人が同時に利用することも可能になる。
【００１９】
さらに、隔壁９に、開閉ドア１５を設けたことで、この開閉ドア１５を閉じた後は、用便空間１４を個室として利用でき、寛ぐことができる。
そして、トイレ本体を搬送可能な構成とし、基礎コンクリート１８に据え付け可能なサイズおよび重量を持つように構成した。これにより、開放感、寛ぎ感が得られる前記トイレ本体を、クレーン等を用いて必要とする場所に、簡単かつ速やかに据え付け、または撤去することができる。
【産業上の利用可能性】
【００２０】
一年を通して快適性を失わず、清掃が容易で、寛ぎ感が得られる家庭用、企業用、催事用、あるいは公園、遊園地などの公衆トイレとして適用できる。
【図面の簡単な説明】
【００２１】
【図１】本考案の実施の形態による屋外設置トイレを示す正面図である。
【図２】図１に示す屋外設置トイレの側面図である。
【図３】図１に示す屋外設置トイレを、屋根を除いて示す平面図である。
【符号の説明】
【００２２】
１…床、２〜５…側壁、６…屋根、７…タイル、９…隔壁、１０…小便器、１１…手洗い器、１２…空間、１３…大便器、１４…用便空間、１８…基礎コンクリート
【図１】
0003103077.tif 000003
【図２】
0003103077.tif 000004
【図３】
0003103077.tif 000005